(57)【特許請求の範囲】
【請求項１】
容器本体と容器本体に装着される蓋体とで構成され、同軸状の二重の回動体を有し、１〜３１の数値が認識できる日表示部及び１〜１２の数値が認識できる月表示部を、回動操作される第一回動体の表面に設けてなる移動表示部及び第一回動体の移動表示部と同心円状に並んで第二回動体で指示可能な固定表示部の何れかに分けて設け、第二回動体に、月表示部及び日表示部を同時に選択指示する１個の指示部を設けて構成した日付表示機構部を、蓋体又は容器本体の適宜位置に複数形成し、食品収納月日或は開封月日等と、賞味期限月日或は消費期限月日等を表示することを特徴とする食品保存用容器。
【請求項２】
第二回動体の指示部を、同心円の内側に位置する表示部の数値認識ができる透孔と、外側に位置する表示部を指し示す指針とした請求項１記載の食品保存用容器。
【請求項３】
第二回動体の指示部を、両表示部の数値認識が同時にできる透孔とした請求項１記載の食品保存用容器。
【請求項４】
蓋体の適宜位置に円形の第一回動体を回動可能に収納する凹部を形成すると共に、前記凹部に連続する操作凹部を設けて、第一回動体外周面が操作凹部に露出させてなる請求項１記載の食品保存用容器。
【発明の詳細な説明】
【０００１】
【産業上の利用分野】
本発明は、食品を収納し冷蔵庫等で保存する為に使用される食品保存用容器に関するものである。
【０００２】
【従来技術及び発明が解決しようとする課題】
食品保存用容器は、容器体と蓋体とで構成され、両者を樹脂製としたり、容器体のみを陶磁器製やガラス製としている。また蓋体も密閉タイプや非密閉タイプ等種々の形態のものが知られている。更にこれらの食品保存用容器には、日付表示機構を備えている容器も知られている。
【０００３】
前記の日付表示部は、一般には「１〜３１」の目盛りが表示されて、当該容器に食品を収納した日付が表示されているにすぎない。また短針と長針の組み合わせで、短針が「１〜１２月」を指針指示し、長針が「１〜３１日」を指針指示する日付表示機構も知られている。即ち従前の食品保存用容器に採用されている日付表示機構は、単に当該容器に食品を収納した日又は月日を確認できるにすぎない。而も前記の指針指示の場合に、月日の確認は、２箇所の指示を確認しなければならない不便さがある。
【０００４】
ところで、加工食料品の多数には、その包装袋や包装箱に製造年月日の他に「消費期限」や「賞味期限」も記載されている例が多い。しかし一旦包装を解いて内容物である食品を保存用容器に収納してしまうと、包装袋等は破棄してしまう。このため保存容器に食品を収納してしまうと、「消費期限」や「賞味期限」の記録が無くなってしまう。
【０００５】
そこで本発明は、収納日の他に、賞味期限等も記録しておくことのできる新規な食品保存用容器を提案したものである。
【０００６】
【課題を解決する手段】
本発明に係る食品保存用容器は、容器本体と容器本体に装着される蓋体とで構成され、同軸状の二重の回動体を有し、１〜３１の数値が認識できる日表示部及び１〜１２の数値が認識できる月表示部を、回動操作される第一回動体の表面に設けてなる移動表示部及び第一回動体の移動表示部と同心円状に並んで第二回動体で指示可能な固定表示部の何れかに分けて設け、第二回動体に、月表示部及び日表示部を同時に選択指示する１個の指示部を設けて構成した日付表示機構部を、蓋体又は容器本体の適宜位置に複数形成し、食品収納月日或は開封月日等と、賞味期限月日或は消費期限月日等を表示することを特徴とするものである。
【０００７】
従って食品を保存用容器に収納する際に、当該食品の収納日や予め開封されていた加工食料品等の場合には、必要に応じて開封月日を日付表示機構に記録表示し、更に当該食品の賞味期限月日或は消費期限月日を日付表示機構に記録表示して冷蔵庫等に保存する。そして適宜消費する際に賞味期限或は消費期限等を確認できるものである。
【０００８】
【実施の形態】
次に本発明の実施の形態について説明する。図１〜４は第一実施例を示す。この第一実施例に示した容器は、容器本体１と、蓋体２とで構成され、蓋体２に独立した日付表示機構３を２個設けたものである。
【０００９】
各日付表示機構部３は、２個の回動体３１，３２と、１〜３１の数値が認識できる数字や目盛りからなる日表示部３３と、１〜１２の数値が認識できる数字や目盛りからなる月表示部３４とを備えてなる。
【００１０】
具体的には、蓋体２に日付表示機構部３を組み込む円形凹部３５を形成すると共に、円形凹部３５の中心に中心軸３６を立設し、円形凹部３５の外周蓋体上面に日表示部（固定表示部）３３を設ける。第一回動体３１は、前記円形凹部３５に嵌合収納される円盤形状で、上面外周に月表示部（移動表示部）３４を設け、中央に軸孔３１１を穿設すると共に、回動操作可能な摘み部３１２を設けて、前記中心軸３６に装着する。
【００１１】
第二回動体３２は、指針形状で、基部を前記中心軸３６に嵌合装着し、先端に円形凹部３５の外周縁所望箇所を指し示す指示部（尖らしたり、指示方向表示を設ける）３２２と、前記第一回動体の月表示部３４の数字等を見透かすことのできる透孔３２１を設けてなる。
【００１２】
そして２個の日付表示機構部の一方には「開封日」の表示を、他方には、「賞味期限」の表示を行う。尚前記の「開封日」及び「賞味期限」の表示、並びに日表示部３３、月表示部３４の表示形成は、当該部材の成型加工時の成形よる表示や、或は印刷による表示等の適宜な手段を採用できるものである。以下各実施例ともに同様である。
【００１３】
しかして日付の特定表示は、第一回動体３１と第二回動体３２を一緒に摘み、固定表示部とした日表示部３３の特定日に、第一回動体３１の移動表示部である月表示部３４の特定月を、対面一致させる。そして第二回動体３２を回動操作して、一致箇所（特定月日箇所）に第二回動体３２の指示部３２２が指し示すようにすると、透孔３２１を通して特定月が確認され、指示部３２２が特定日を指し示すことになる。図４では、開封日が「１０月１６日」賞味期限が「１１月２５日」となる。
【００１４】
従って食品を当該容器に収納する際に、開封日の日付と、当該食品の賞味期限の日付を前記２個の日付表示機構３で特定することで、冷蔵庫その他で保存しても、賞味期限が判らなくなる不便が解消される。
【００１５】
図５〜７は第二実施例を示す。この第二実施例に示した容器は、前記第一実施例の変形例である。即ち蓋体２ａには、円形凹部３５に代えてリング状凹部３５ａを形成すると共に、リング状凹部３５の形成中心に中心軸３６ａを立設し、リング状凹部３５ａの内周縁に添って月表示部（固定表示部）３４ａを設ける。
【００１６】
第一回動体３１ａは、前記リング状凹部３５ａに、適宜な抜け止め構造（例えば蟻構造）を採用して嵌合収納されるリング体円盤形状で、上面の円周に添って日表示部（移動表示部）３３ａを設けてなる。
【００１７】
第二回動体３２ａは、指針形状で、基部を前記中心軸３６ａに嵌合装着し、先端側に日表示部３３ａ及び月表示部３４ａ数字等を見透かすことのできる透孔３２２ａを設けてなる。勿論「開封日」「賞味期限」の表示がなされている（以下の実施例の説明では省略する）。
【００１８】
しかして日付の特定表示は、第一回動体３１ａを回動操作して、固定表示部である月表示部３４ａの特定月に、第一回動体３１ａの移動表示部である日表示部３３ａの特定日を、対面一致させる。そして第二回動体３２ａを回動操作して、一致箇所（特定月日箇所）を第二回動体３２ａを移動させ、透孔から透けて見える数字等で月日が特定される。図７では、開封日が「８月７日」賞味期限が「１１月７日」となる。
【００１９】
図８〜１０は第三実施例を示す。この第三実施例に示した容器は、前記第一実施例と同様に容器本体１ｂと、蓋体２ｂとで構成され、蓋体２ｂに独立した日付表示機構３ｂを２個設けたものである。
【００２０】
蓋体２ｂには、一部切欠した円形凹部３５ｂと、円形凹部３５ｂに連続する操作凹部３５１ｂを設け、円形凹部３５ｂの中心には中心軸３６ｂを立設し、円形凹部３５ｂの外周蓋体上面に日表示部（固定表示部）３３ｂを設ける。
【００２１】
第一回動体３１ｂは、前記円形凹部３５ｂに嵌合収納される円盤形状で、外周部分を上方にリング状に突出させ、当該リング状外周部３１２ｂの上面に月表示部（移動表示部）３４ｂを設けると共に、中央に軸孔３１１ｂを穿設し、リング状外周部３１２ｂの外周面が操作凹部３５１ｂ側に露出するように、前記中心軸３６ｂに装着する。
【００２２】
第二回動体３２ｂは、前記リング状外周部３１２ｂに嵌合される円盤状で、上面に指示目印３２１ｂと回動操作用の摘み部３２２ｂを設け、前記中心軸３６ｂに装着して回動自在としてなる。
【００２３】
しかして日付の特定表示は、第一回動体３１ｂを回動操作して、固定表示部である日表示部３３ｂの特定日に、第一回動体３１ｂの移動表示部である月表示部３４ｂの特定月を、対面一致させる。そして第二回動体３２ｂを回動操作して、一致箇所（特定月日箇所）を第二回動体３２ｂの指示目印３２１ｂが指し示すことで月日が特定される。図１０では、開封日が「４月１６日」賞味期限が「１０月１６日」となる。
【００２４】
図１１〜１３は第四実施例を示す。この第四実施例に示した容器は、前記第三実施例の変形である。即ち蓋体２ｃには、操作凹部を備えずに、円形凹部３５ｃに第一回動体３１ｃを嵌合装着すると共に、特にリング状外周部３１２ｃに操作摘み部３１３ｃを設けたものであり、他の構造は前記第三実施例と同一である。
【００２５】
しかして日付の特定表示は、第一回動体３１ｃの回動操作で、日表示部３３ｃの特定日と月表示部３４ｃの特定月を対面一致させ、第二回動体３２ｃの回動操作で一致箇所（特定月日箇所）を指示目印３２１ｃが指し示すことで月日が特定される。図１３では、開封日が「４月１６日」賞味期限が「１０月２５日」となる。
【００２６】
図１４，１５は第五実施例を示す。この第五実施例に示した容器は、前記第一実施例と同様に容器本体１ｄと、蓋体２ｄとで構成され、容器体１ｄの側面に独立した日付表示機構３ｄを２個設けたものである。
【００２７】
容器体１ｄの側面には、２個の中心軸３６ｄを突設し、当該各中心軸３６ｄに第一回動体３１ｄと、第二回動体３２ｄを装着するもので、後述する第一回動体３１ｄの外周位置に添って日表示部（固定表示部）３３ｄを設ける。
【００２８】
第一回動体３１ｄは、リング状外周部３１２ｄと、リング状外周部３１２ｄの直径方向に設けた摘み部３１１ｄを備え、リング状外周部３１２ｄの上面に月表示部（移動表示部）３４ｄを設けて、中心軸３６ｄに回動自在に装着する。
【００２９】
第二回動体３２ｄは、第一回動体３１ｄに重合状態で中心軸３６ｄに、回動自在に装着された指針タイプのもので、先端部に日表示部３３ｄ及び月表示部３４ｄの表示部分と対応する透孔３２２ｄを設けてなる。
【００３０】
しかして日付の特定表示は、前記の各実施例と同様に、第一回動体３１ｄの回動操作で日表示部３３ｄの特定日と月表示部３４ｄの特定月を対面一致させ、第二回動体３２ｄの回動操作で一致箇所（特定月日箇所）の上方に位置させると、透孔３２２ｄから特定日付が視認できることになる。図１４では、開封日が「４月７日」賞味期限が「１０月２５日」となる。
【００３１】
本発明は前記各実施例に限定されるものではなく、例えば実施例は、「開封日」と「賞味期限」と表示したが、「食品収納日」や「消費期限日」等やその他適宜な文言を表示しても良い。更に本発明が適用される容器本体への蓋体装着構造は任意であり、嵌合被冠する構造でも、蝶板連結構造でも或は密封構造でも、任意の構造が採用されるものである。
【００３２】
【発明の効果】
以上のように本発明は、容器本体と容器本体に装着される蓋体とで構成され、同軸状の二重の回動体を有し、日表示部及び月表示部を、第一回動体の表面に設けた移動表示部及び移動表示部と同心円状に並ぶ固定表示部の何れかに分けて設け、第二回動体に月表示部及び日表示部を同時に選択指示する指示部を設けてなる日付表示機構部を、蓋体又は容器本体の適宜位置に複数形成し、食品収納月日或は開封月日等と、賞味期限月日或は消費期限月日等を表示する食品保存用容器で、食品を保存用容器に収納する際に、当該食品の収納日等と当該食品の賞味期限日等を記録表示して保存できるので、賞味期限等を確実に確認できるものであると共に、当該月日表示が並んだ状態で表示されるので、一見してすぐに確認できる見易さがある。
【図面の簡単な説明】
【図１】本発明の第一実施例（第一実施形態）の全体斜視図。
【図２】同要部分解斜視図。
【図３】同平面図。
【図４】同蓋体断面図。
【図５】同第二実施例（第一実施形態）の要部分解斜視図。
【図６】同要部断面図。
【図７】同蓋体の平面図。
【図８】同第三実施例（第一実施形態）の全体斜視図。
【図９】同要部断面図。
【図１０】同蓋体の平面図。
【図１１】同第四実施例（第一実施形態）の要部分解斜視図。
【図１２】同要部断面図。
【図１３】同蓋体の平面図。
【図１４】同第五実施例（第一実施形態）の全体の正面図。
【図１５】同要部断面図。
【符号の説明】
１，１ｂ，１ｄ
容器本体
２，２ａ，２ｂ，２ｃ，２ｄ
蓋体
３，３ａ，３ｂ
日付表示機構部
３１，３１ａ，３１ｂ，３１ｃ，３１ｄ
第一回動体
３２，３２ａ，３２ｂ，３２ｃ，３２ｄ
第二回動体
３３，３３ａ，３３ｂ，３３ｃ，３３ｄ
日表示部
３４，３４ａ，３４ｂ，３４ｃ，３４ｄ
月表示部
【図１】
0003560538.tif 000002
【図２】
0003560538.tif 000003
【図３】
0003560538.tif 000004
【図４】
0003560538.tif 000005
【図５】
0003560538.tif 000006
【図６】
0003560538.tif 000007
【図７】
0003560538.tif 000008
【図８】
0003560538.tif 000009
【図９】
0003560538.tif 000010
【図１０】
0003560538.tif 000011
【図１１】
0003560538.tif 000012
【図１２】
0003560538.tif 000013
【図１３】
0003560538.tif 000014
【図１４】
0003560538.tif 000015
【図１５】
0003560538.tif 000016